(57)【特許請求の範囲】
【請求項１】
表面側に届け先情報記入欄、依頼主情報記入欄を含む配送情報記入欄が設けられた貼付票の下位に、所定枚の配送票を組み込んでなり、貼付票側から記入される配送情報が下位の配送票に同時複写される構成の配送伝票であって、前記貼付票において、配送情報記入欄部のうち少なくとも依頼主情報記入欄部を他の部分から分離する分離部を設けたことを特徴とする配送伝票。
【発明の詳細な説明】
【０００１】
【産業上の利用分野】
本発明は、配送物に貼着される配送伝票に関するものである。
【０００２】
【従来の技術】
従来、この種の配送伝票においては、配送物に貼着される貼付票と、依頼主控、取扱店控、発点控、着点控、配達票などとなる所定枚の配送票とが組み合わされ、前記貼付票の下位に所定枚の配送票を抜き取り可能に綴じ合わせたものがある。前記貼付票の表面側には届け先情報記入欄、依頼主情報記入欄、その他所定の配送情報記入欄が設けられているとともに、その下位に位置する前記配送票にも所要の情報記入欄が前記貼付票の情報記入欄と対応するように設けられ、最上位とした貼付票の情報記入欄に記載された配送情報（届け先の住所氏名、依頼主の住所氏名、配送品名など）が下位の各配送票の情報記入欄にも同時複写されるように設けられている。
【０００３】
この配送伝票の使用に際しては、貼付票の各情報記入欄に配送情報を記載し（このとき、配送票側にも所要の配送情報が複写される）、依頼主控や取扱店控となる配送票を抜き取った後、配送伝票を配送物に貼着する。そして以降、この配送物に貼着された配送伝票の最上位の紙票、すなわち、貼付票の情報記入部に記載された配送情報に基づいて配送業務が行われるとともに、配送業務の管理を行うために各配送行程中で所要の配送票が順次抜き取られ、配送物が貼付票を貼着させた状態で届け先（受け取り主）に届けられることになる。
【０００４】
【発明が解決しようとする課題】
ところで、上記貼付票には上述したように多くの配送情報が記載されることから、受取人側で貼付票を保管して、配送物の受領を管理したり配送依頼者の把握などを行うために利用することがある。
しかしながら、貼付票を配送物から剥ぎ取る際にこの貼付票を破損して配送情報が判読できなくなるという不都合が発生している。
【０００５】
そこで本発明は上記した事情に鑑み、受取人側で貼付票の少なくとも依頼主情報記入欄を容易に分離でき、この依頼主情報記入欄部分で配送情報の保管管理がし易いものとなるようにすることを目的とする。
【０００６】
【課題を解決するための手段】
本発明は上記した課題を考慮してなされたもので、表面側に届け先情報記入欄、依頼主情報記入欄を含む配送情報記入欄が設けられた貼付票の下位に、所定枚の配送票を組み込んでなり、貼付票側から記入される配送情報が下位の配送票に同時複写される構成の配送伝票であって、前記貼付票において、配送情報記入欄部のうち少なくとも依頼主情報記入欄部を他の部分から分離する分離部を設けたことを特徴とする配送伝票を提供して、上記課題を解消するものである。
【０００７】
【作用】
本発明においては、貼付票の記載配送情報が下位の配送票の依頼主情報記入欄に同時複写され、その少なくとも依頼主情報記入欄部が他の部分から分離し、この分離した依頼主情報記入欄部を取りまとめることができるようになり、これを例えば受取台帳や住所録などに留め付けるなどすることにより、配送物の受取人側で依頼主情報を管理し易くなる。
【０００８】
【実施例】
つぎに本発明を図１から図３に示す実施例に基づいて詳細に説明する。
図中１は配送伝票で、該配送伝票１は、最上位に位置する貼付票２を封筒上紙とするとともに、裏面に塗布された粘着剤３０が剥離紙３１にて覆われている封筒下紙３を最下位に位置させ、貼付票２と封筒下紙３との三周辺を接着剤４により貼り合わせて封筒部５を形成し、この封筒部５の内部に所定枚の配送票６が抜き取り可能にして綴じ込まれているものである。
そして、前記貼付票２には、表面側に届け先情報記入欄２０、依頼主情報記入欄２１、その他所定の配送情報記入欄２２が設けられているとともに、図示はしないが、配送票６それぞれにおいても届け先情報記入欄、依頼主情報記入欄、その他所定の配送情報記入欄など所要の記入欄が貼付票２の各記入欄に対応して設けられており、貼付票２側から記入された配送情報が、下位の配送票６それぞれに同時に複写される構成となっている。
【０００９】
封筒上紙である貼付票２において、図１に示すように、依頼主情報記入欄２１の周りには依頼主情報記入欄２１を囲む切取りミシン目からなる分離部７が設けられていて、前記依頼主情報記入欄２１をこの分離部７で囲んでなる依頼主情報記入欄部を、必要時に貼付票２の他の部分から分離することができるようにしている。そしてこの分離部７には、分離操作が行い易いように依頼主情報記入欄２１側から側方に延びるようにしたノッチ８が形成されている。
このように依頼主情報記入欄部を分離部７によって取り外すことができるように設けられているため、受取人が配送物を受け取ったのち、配送物に貼付されている配送伝票（貼付票）から前記依頼主情報記入欄部を用具を用いることなく取り外し、管理資料とすることができるようになり、例えば図３に示すように、管理簿９などに粘着剤１０を塗布し、これに前記依頼主記入欄部を貼り付けるなどして管理できるようになり、所要の依頼主名、住所、電話番号などの情報が捜し易くなる。
【００１０】
上記した実施例では、依頼主情報記入欄部のみを分離部７で囲むようにしているが、受取人側などでの管理上、少なくともこの依頼主情報記入欄部を分離できるようにすれば良いものであることから、貼付票２の他の部分、例えば配送物品名記入欄部などの情報記入部分もこの依頼主情報記入欄部と共に、或いは別々に貼付票２から分離できるようにしても良い。
また、分離した依頼主情報記入欄部の取り扱いを簡便にするために、分離部７内であって、記載情報の同時複写に影響を及ぼさない位置で（そして下位の配送票６の抜き取りなどに影響を与えないようにして）、再剥離再貼着できる粘着剤を設けるようにしてもよい。
【００１１】
【発明の効果】
以上説明したように、本発明の配送伝票は、表面側に届け先情報記入欄、依頼主情報記入欄を含む配送情報記入欄が設けられた貼付票の下位に、所定枚の配送票を組み込んでなり、貼付票側から記入される配送情報が下位の配送票に同時複写される構成の配送伝票であって、前記貼付票において、配送情報記入欄部のうち少なくとも依頼主情報記入欄部を他の部分から分離する分離部を設けたことを特徴とするものである。
これによって、配送物に貼付されている貼付票の少なくとも依頼主情報記入欄部を何ら用具を用いることなく、また記載されている情報を損なうことなく取り扱えるようになり、依頼主情報を転記することなく極めて簡単に管理できるようになるなど、実用性に優れた効果を奏するものである。
【図面の簡単な説明】
【図１】  本発明に係る配送伝票の一実施例を示す説明図である。
【図２】  一実施例を断面で示す説明図である。
【図３】  一実施例における依頼主情報記入欄部を貼り付ける管理簿を示す説明図である。
【符号の説明】
１…配送伝票
２…貼付票
２１…依頼主情報記入欄
７…分離部
【図１】
0003646226.tif 000002
【図２】
0003646226.tif 000003
【図３】
0003646226.tif 000004